(57)【要約】【課題】  従来のスクレーパーは刃が摩耗してエッジがなくなった時に、スクレーパー本体、又は刃を取り替えなければならなかった。又、刃の固さを変えるには、スクレーパーを取り替える必要があった。【解決手段】  刃を折刃式の替え刃とすることにより、容易に新しいエッジを創出することが出来る。又、刃の固さを変えるには、材質を変えた替え刃を用意すれば、簡便に変更が出来る。【選択図】  図１
2007068609.tif 000002
【特許請求の範囲】
【請求項１】
帯状の板材に予め折溝を付与した差し替え可能な刃と、刃先端を折取るための折具を有した折刃式スクレーパー。
【請求項２】
帯状のプラスチックの板材に予め折溝を付与した差し替え可能な刃と、刃先端を折取るための折具を有した折刃式スクレーパー。
【発明の詳細な説明】
【技術分野】
【０００１】
本発明は、差し替え可能な折刃式スクレーパーに関する。
【背景技術】
【０００２】
従来からスクレーパーは、対象物表面の付着物や突起を除去し、表面を平坦にする作業に用いられており、刃の部分が金属製のスクレーパーとプラスチック製のスクレーパーがある。金属製のスクレーパーは柄の部分と刃の部分が一化したもの、又は、柄の部分と刃の部分が分かれていて、刃を差し替えて使用するものがある。一方、プラスチック製のスクレーパーは柄の部分と刃の部分が一体化したものがある。
【０００３】
これらのスクレーパーは、除去作業の繰り返しにより、刃先端が摩耗しエッジがなくなり除去性能が劣化すると、新しいスクレーパーに取り替えるか、又は、刃の部分のみを差し替える必要があった。
【０００４】
更に、対象物表面の母材の固さや付着物の種類により、金属製のスクレーパーとプラスチック製のスクレーパーを使い分けられていた。即ち、一般的に母材が固い場合には金属製の刃のスクレーパー、軟らかい場合にはプラスチック製の刃のスクレーパーが使用されてきた。
【発明の開示】
【発明が解決しようとする課題】
【０００５】
以上に述べた従来のスクレーパーにおいて、柄の部分と刃の部分が一体となっているスクレーパーの場合には、刃が摩耗してエッジがなくなるとスクレーパー全体を取り替える必要があった。又、刃の部分を差し替え出来るスクレーパーの場合には、刃を取り替える必要があった。
【０００６】
又、刃が摩耗した時、スクレーパーの刃のエッジを作り出すために、刃を研ぐ、又は、スクレーパー全体をを取り替える、又は、刃を差し替えをする、のいずれかをする必要があった。
【０００７】
更に、対象物の母材の材質や付着物の種類によって、刃の固さを変える必要がある時には、スクレーパー本体を取り替える必要があった。
【課題を解決するための手段】
【０００８】
上記問題を解決するために、本発明の折刃式スクレーパーは、替え刃式の刃と、刃を保持するためのホルダーと、刃の前後移動と固定をするためのスライダーと、刃の先端を折り取るための折具で構成されている。
【０００９】
刃は帯状の板で構成され、その表面には、先端より一定巾毎に容易に直線状に折取りを可能ならしめる折溝が予め付与されている。
【００１０】
ホルダーは内部に刃の案内通路が形成され、その通路の上壁にはスライダーの通り溝とスライダーのストッパーが嵌る窪みが設けられている。
【００１１】
スライダーは、刃と連結して刃を移動し、固定するために具備されている。
【００１２】
折具は、通常はホルダーの後端に保持されており、刃を折取る時にホルダーから外して、刃の先端を折取るために具備されている。
【発明の効果】
【００１３】
本発明によれば、スクレーパーの先端が摩耗してエッジがなくなった場合、刃の先端を折具を用いて折取ることが出来るので、容易に新しいエッジを創出することが出来る。これによりスクレーパーは簡便にスクレーパーの削除能力を回復することが出来る。
【００１４】
又、刃の折取り部分がなくなった時には、新しい替え刃と取り替えれば良いので、スクレーパー本体を取り替える必要はなくなる。刃以外は継続的に使用することが出来るので、無駄がなくなり経済的にも寄与することが出来る。
【００１５】
対象物表面の固さや付着物の種類により、スクレーパーの刃の固さを変える必要がある場合には、予め種々の材質で刃を作っておけば、一々スクレーパー本体を取り替える必要はなく、刃のみを交換すれば、容易に作業に適した刃の使用が可能になる。
【発明を実施するための最良の形態】
【００１６】
本発明の最良の形態について図面を参照して説明する。図１において、ホルダー１の内部は断面形状が四角形の案内通路１ａを形成し、該案内通路１ａの上壁面には、スライダー２の通路をなす段１ｂが設けられており、ホルダー１の上壁にはスライダー２のプッシュボタン２ｃが通過するスライダーの通路１ｃが設けられ、該通路１ｃの両側にはスライダー２のストッパー２ｄが嵌る窪み１ｃが設けられている。スライダー２と刃３は連結した状態で、前後移動することができる。又、ホルダー１の後端には折具４が嵌め込まれている。
【００１７】
図２において、スライダー２は、弾性板２ａとピン２ｂと突き当て２ｃとストッパー２ｄとプッシュボタン２ｅが溶着又は一体で構成されている。弾性板２ａの前端側下面にはピン２ｂ、後端側上面にはストッパー２ｄ、該ストッパー２ｄの上面中央にはプッシュボタン２ｅ、更に、該プッシュボタンを押しつけた時に弾性板２ａの後側が充分撓める位置に突き当て２ｃが設けられている。刃の材質はプラスチックのように軟らかい材質から、鋼のように固い材質まで使用することが出来るが、鋼の場合については後述する。刃３にはピン穴３ａが穿けられており、刃３の上面には作業中に刃が容易に折れない程度の深さで折溝３ｂが複数設けられている。スライダー２と刃３はそれぞれに設けられているピン２ａとピン穴３ａが緩嵌合して一体となる。スライダー２のストッパー２ｄをホルダー１の窪み１ｃに嵌めることにより、刃３を適当な位置で固定することができ、プッシュボタン２ｅを押し下げることにより、ストッパー２ｄはホルダー１の突起１ｅをくぐり抜けて、前後移動が出来る。更に、スライダー２の突き当て２ｃは、付着物の除去作業中に刃３から押力が加わった時にその力を受ける面となる。
【００１８】
図３において、折具４には刃３の先端部を挿入する刃挿入穴４ａが設けられており、もう一方の端面にはホルダー１の後端に嵌合する挿入部４ｂが設けられている。該挿入部４ｂには保持突起４ｄが設けられており、ホルダー１の側壁に設けられた窪み１ｆの位置に合致し、折具４がホルダー１から脱落するのを防止する。スリット４ｃは折具４を挿入するときのたわみ代である。
【００１９】
図４において、折具４の刃挿入穴４ａは刃３の折溝３ｂの間隔と同等の深さで、刃３の先端をこの刃挿入穴４ａに挿入して折溝を広げるように力を加えると、容易に溝に沿って直線状に折れ、折れた端面には大略直角の新しいエッジが出来る。
【００２０】
図５において、刃５は鋼等の材質で、薄い板の時のものである。ピン穴５ａと折溝５ｂが設けられている。鋼のように固い材質の刃では剛性が大きいために、軟らかい材質の刃より薄くても十分である。図６において、薄い刃５ではホルダー１の通路１ａに間隙が生ずるので、間隙を埋めるためにスペーサー６を示している。該スペーサー６には、スライダー２が移動する時に、ピン２ｂと突き当て２ｃが干渉しないように逃げ空間６ａが必要となる。更に、スペーサー６にはホルダー１から容易に脱落しないように突起６ｂが設けてあり、ホルダー１の側壁にスペーサー用窪み１ｇに嵌り、スペーサー６の脱落を防止する。
【００２１】
図７において、折具４の穴４ａは薄い刃５の先端を折り取る時に生ずる間隙を埋める、折具スペーサー７を示している。  
【図面の簡単な説明】
【００２２】
【図１】本発明の実施形態を示す折刃式スクレーパーの斜視図である。
【図２】同折刃式スクレーパーのスライダーと替え刃を示す斜視図である。
【図３】同折刃式スクレーパーの折具の装着状態の説明図である。
【図４】同折刃式スクレーパーのホルダーの先端部と折具の図である。
【図５】同折刃式スクレーパーの鋼の替え刃の斜視図である。
【図６】同折刃式スクレーパーのスペーサーの斜視図である。
【図７】同折刃式スクレーパーのスペーサー使用時のホルダーと折具の図である。
【図８】同折刃式スクレーパーの折具使用するスペーサーの斜視図である。
【符号の説明】
【００２３】
１    ホルダー
１ａ  案内通路
１ｂ  段
１ｃ  スライダーの通路
１ｄ  窪み
１ｅ  突起
１ｆ  折具用窪み
１ｇ  スペーサー用窪み
２    スライダー
２ａ  弾性板
２ｂ  ピン
２ｃ  突き当て
２ｄ  ストッパー
２ｅ  プッシュボタン
３    刃
３ａ  ピン穴
３ｂ  折溝
４    折具
４ａ  刃挿入穴
４ｂ  挿入部
４ｃ  スリット
４ｄ  保持突起
５    刃（鋼）
５ａ  ピン穴
５ｂ  折溝
６    スペーサー
６ａ  逃げ空間
６ｂ  突起
７    折具スペーサー
【図１】
2007068609.tif 000003
【図２】
2007068609.tif 000004
【図３】
2007068609.tif 000005
【図４】
2007068609.tif 000006
【図５】
2007068609.tif 000007
【図６】
2007068609.tif 000008
【図７】
2007068609.tif 000009
【図８】
2007068609.tif 000010